(57)【要約】【課題】コスト高や積載性の低下を生じさせることなく、簡単に原稿を取り出すことのできるシート排出装置、画像読取装置及び画像形成装置を提供する。【解決手段】シートを排出するシート排出手段よりも上方に回動可能に設けられた原稿押さえ部材２０により、シート排出手段により排出シート積載手段に排出されたシートを上方から押さえる。この原稿押さえ部材２０のシート排出方向と直交する幅方向の端部を上方に傾斜した傾斜部２０ｂとする。【選択図】図４
2017193392.tif 000002
【特許請求の範囲】
【請求項１】
シートを排出するシート排出手段と、
前記シート排出手段により排出されたシートを積載する排出シート積載手段と、
前記シート排出手段よりも上方に回動可能に設けられ、前記排出シート積載手段に排出されたシートを上方から押さえる押さえ部材と、備え、
前記押さえ部材のシート排出方向と直交する幅方向の端部を上方に傾斜した傾斜部としたことを特徴とするシート排出装置。
【請求項２】
前記押さえ部材は、平面状の底面を形成する基部を有し、前記傾斜部は前記基部の幅方向の端部に上方への折曲により形成されることを特徴とする請求項１記載のシート排出装置。
【請求項３】
前記傾斜部を、前記基部の幅方向の両側に形成することを特徴とする請求項２記載のシート排出装置。
【請求項４】
前記排出シート積載手段の上方に設けられ、前記押さえ部材を支持する支持手段を備え、
前記支持手段及び前記押さえ部材の一方に軸を設け、前記支持手段及び前記押さえ部材の他方に前記軸を、前記押さえ部材が回動可能で且つ上下方向に移動可能となるように保持する長穴を設けることを特徴とする請求項１乃至３の何れか１項に記載のシート排出装置。
【請求項５】
前記押さえ部材は、前記傾斜部が幅方向から押圧されると前記軸を支点として上方回動しながら上昇することを特徴とする請求項４記載のシート排出装置。
【請求項６】
シートの画像を読み取る画像読み取り手段と、
前記画像読み取り手段により画像が読み取られたシートを排出する請求項１乃至５の何れか１項に記載のシート排出装置と、を備えることを特徴とする画像読取装置。
【請求項７】
シートを積載するシート積載手段と、
前記シート積載手段に積載されたシートを搬送するシート搬送手段と、
前記シート搬送手段によって搬送されたシートの画像を読み取る画像読み取り手段と、
画像が読み取られたシートを排出するシート排出装置と、を備え、
前記シート排出装置は、
シートを排出するシート排出手段と、
前記シート積載手段の下方に設けられ、前記シート排出手段により排出されたシートを積載する排出シート積載手段と、
前記シート排出手段よりも上方に回動可能に設けられ、前記排出シート積載手段に排出されたシートを上方から押さえる押さえ部材と、を備え、
前記押さえ部材のシート排出方向と直交する幅方向の端部を上方に傾斜した傾斜部としたことを特徴とする画像読取装置。
【請求項８】
前記押さえ部材は前記シート積載手段に支持され、
前記シート積載手段及び前記押さえ部材の一方には軸が設けられ、前記シート積載手段及び前記押さえ部材の他方には前記軸を、前記押さえ部材が回動可能で且つ上下方向に移動可能となるように支持する長穴が設けられることを特徴とする請求項７記載の画像読取装置。
【請求項９】
シートに画像を形成する画像形成部と、
前記画像形成部により画像が形成されたシートを排出する請求項１乃至５の何れか１項に記載のシート排出装置と、を備えることを特徴とする画像形成装置。
【発明の詳細な説明】
【技術分野】
【０００１】
本発明は、シート排出装置、画像読取装置及び画像形成装置に関し、特に排出されたシートを上方から押さえる押さえ部材を備えたものに関する。
【背景技術】
【０００２】
従来、デジタル複写機、プリンタ、ファクシミリ等の画像形成装置においては、画像形成部と、画像読取装置とを備え、画像読取装置によって読み取った画像情報に基づいて画像形成部により、シートに画像を形成するようにしたものがある。画像読取装置として、画像読取装置本体の上部に、積載トレイに積載されたシートである原稿を搬送する自動原稿搬送装置であるＡＤＦ（Ａｕｔｏ  Ｄｏｃｕｍｅｎｔ  Ｆｅｅｄｅｒ）を有するものがある。
【０００３】
この画像読取装置では、プラテンガラスの所定の画像読取位置の下方に画像読取手段を移動させた後、画像読取位置上を、ＡＤＦにより原稿を一定の速度で搬送することにより、原稿画像を読み取る。なお、ＡＤＦには、画像が読み取られた原稿を排出するシート排出装置が設けられており、画像が読み取られた後、原稿はシート排出装置により原稿排出口を通過して積載トレイの下方に設けられた原稿排出部に排出される。
【０００４】
ところで、従来のシート排出装置において、排出された原稿の積載性を向上るため、原稿排出部に排出された原稿を上方から押さえる押さえ部材を上下方向に回動自在に設けたものがある（特許文献１及び２参照）。この押さえ部材は、原稿が排出される際、排出される原稿により押圧されて上端を支点として押し上げられ、原稿が原稿排出口を通過すると、自重により下端を原稿の上面に接触させながら下降して原稿を原稿排出部に押し付ける。
【先行技術文献】
【特許文献】
【０００５】
【特許文献１】特開２０１４−４７０６７号公報
【特許文献２】特許第５０５８３１５号公報
【発明の概要】
【発明が解決しようとする課題】
【０００６】
ところで、押さえ部材を備えたシート排出装置において、原稿の読取が終了すると、ユーザは積載トレイと原稿排出部の間の空間に手を入れて原稿を取り出すが、このとき原稿を押えている押さえ部材が手に触れる場合がある。この場合、押さえ部材が邪魔になって原稿が取り出しづらい。
【０００７】
なお、押さえ部材を弾性変形し易い材料、例えばピアノ線やＳＵＳ線材で形成したり、ゴム材により形成したりすると、押さえ部材に手が触れると、押さえ部材が弾性変形するので、押さえ部材に邪魔されることなく、原稿を取り出すことができる。しかし、押さえ部材を、ピアノ線、ＳＵＳ線材やゴム材により形成した場合、コストが高くなると共に、形状が不安定となって原稿を押える力が不安定となり、積載性が低下する。
【０００８】
そこで本発明は、このような現状に鑑みてなされたものであり、コスト高や積載性の低下を生じさせることなく、簡単に原稿を取り出すことのできるシート排出装置、画像読取装置及び画像形成装置を提供することを目的とするものである。
【課題を解決するための手段】
【０００９】
本発明は、シート排出装置において、シートを排出するシート排出手段と、前記シート排出手段により排出されたシートを積載する排出シート積載手段と、前記シート排出手段よりも上方に回動可能に設けられ、前記排出シート積載手段に排出されたシートを上方から押さえる押さえ部材と、を備え、前記押さえ部材のシート排出方向と直交する幅方向の端部を上方に傾斜した傾斜部としたことを特徴とするものである。
【発明の効果】
【００１０】
本発明のように、シート押さえ部材の幅方向の端部を上方に傾斜した傾斜部とし、傾斜部が幅方向から押圧されるとシート押さえ部材が上方回動しながら上昇することにより、コスト高や積載性の低下を生じさせることなく、簡単に原稿を取り出すことができる。
【図面の簡単な説明】
【００１１】
【図１】本発明の実施の形態に係るシート排出装置を有する画像読取装置を備えた画像形成装置の概略構成図。
【図２】上記画像読取装置の構成を説明する図。
【図３】上記画像読取装置の要部拡大図。
【図４】（ａ）は上記画像読取装置に設けられたシート押さえ部材の支持構成を示す図、（ｂ）はシート押さえ部材の形状を説明する図。
【図５】（ａ）は上記シート押さえ部材の動きを説明する図、（ｂ）は原稿を取り出すときのシート押さえ部材の動きを説明する図。
【発明を実施するための形態】
【００１２】
以下、本発明の実施の形態について図面を参照しながら説明する。図１は、本発明の実施の形態に係るシート排出装置を有する画像読取装置を備えた画像形成装置を模式的に示す断面図である。図１に示すように、画像形成装置１０１は、原稿Ｄの画像を読み取る画像読取装置１０３と、画像読取装置１０３で読み取られた原稿画像をシートＰに形成可能な画像形成部１３３を有する画像形成装置本体１０１Ａとを備えている。また、画像形成装置１０１は、画像形成部１３３の画像形成動作、画像読取装置１０３の画像読取動作等を制御する制御部１３２を備えている。
【００１３】
画像読取装置１０３は、画像読取装置本体であるスキャナ部３０と、スキャナ部３０の上部に開閉自在に設けられたシート搬送装置であるＡＤＦ１を備えている。スキャナ部３０には、本体側画像読み取り手段である第１画像読取部１５１が副走査方向に移動可能に設けられている。
【００１４】
ＡＤＦ１は、シート積載手段である原稿積載トレイ２に積載された原稿Ｄを分離し、分離した原稿Ｄを第１画像読取部１５１の画像読取位置に搬送するものである。また、このＡＤＦ１は、後述するように原稿の、第１画像読取部１５１により画像が読み取られる第１面とは反対側の第２面の画像を読み取る画像読み取り手段である第２画像読取部を備えている。
【００１５】
画像形成装置本体１０１Ａは、画像形成部１３３と、画像形成部１３３にシートＰを給送するシート給送部３４と、手差し給紙部１３５とを有している。また、画像形成装置本体１０１Ａは、画像が形成されたシートＰを画像形成装置本体１０１Ａ外方（機外）に排出する排出ローラ対４０と、排出されたシートＰが積載されるシート排出トレイ１３０とを有している。
【００１６】
画像形成部１３３は、トナー像が形成される感光体ドラム１２１、感光体ドラム１２１にレーザ光を照射するレーザスキャナユニット１２３、トナー像をシートＰに転写する転写帯電器１２５等を有している。シート給送部３４は、シートＰが積載される給紙カセット１３７ａ，１３７ｂ，１３７ｃ，１３７ｄと、給紙カセット内のシートＰを給送する給送ローラ３２と、シートＰを１枚ずつに分離しながら搬送する搬送ローラ３３ａ及び分離ローラ３３ｂとを有している。
【００１７】
次に、このような構成の画像形成装置１０１の画像形成動作について説明する。制御部１３２から画像読取装置１０３に画像読取信号が出力されると、例えば後述する流し読みモードの場合は、ＡＤＦ１により原稿Ｄが搬送され、原稿は第１画像読取部１５１により読み取られる。なお、原稿の表裏両面に画像が形成されており、原稿の両面の画像を読み取る場合は、後述するように原稿の第１面が第１画像読取部１５１により読み取られ、原稿の第２面は、ＡＤＦ１に設けられた第２画像読取部により読み取られる。そして、制御部１３２は、読み取った原稿画像（画像情報）を電気信号に変換し、電気信号に基づいて画像データ（画像読取情報）を作成する。
【００１８】
この後、レーザスキャナユニット１２３から、この画像データに応じたレーザ光が感光体ドラム１２１に照射される。このとき、感光体ドラム１２１の表面は、帯電器１１８により予め帯電されており、レーザ光が照射されることで静電潜像が形成され、続いて静電潜像を現像器１２４によって現像することにより、感光体ドラム１２１上にトナー像が形成される。
【００１９】
一方、感光体ドラム１２１へのトナー像の形成動作に並行して、制御部１３２から給紙信号がシート給送部３４又は手差し給紙部１３５に出力される。これにより、給紙カセット１３７ａ，１３７ｂ，１３７ｃ，１３７ｄに収納された各種サイズのシートＰが給送ローラ３２により給送され、手差しトレイ１３７ｅに載置されたシートＰは手差し給送ローラ１３８により給送される。給送ローラ３２により給送されたシートＰは、搬送ローラ３３ａと分離ローラ３３ｂ間の分離ニップ部で挟持されて１枚ずつに分離されて搬送され、この後、搬送ローラ１３１によりレジストレーションローラ対１３６に搬送される。また、手差し給送ローラ１３８により給送されたシートＰは、レジストレーションローラ対１３６に搬送される。
【００２０】
そして、シートＰは、レジストレーションローラ対１３６により斜行が補正された後、感光体ドラム１２１上のトナー像と同期がとられて感光体ドラム１２１と転写帯電器１２５との間に供給される。これにより、シートＰには、転写帯電器１２５によって感光体ドラム上のトナー画像が転写され、この後、シートＰは分離帯電器１２６によって感光体ドラム１２１から分離される。なお、トナー画像を転写した感光体ドラム１２１の表面はクリーナ１２７によりクリーニングされ、帯電器１１８は、次の露光に備えて感光体ドラム１２１の表面を帯電する。
【００２１】
トナー像が転写されたシートＰは搬送部１２８によって定着部１２９へ搬送され、定着部１２９で加熱と加圧を受けて表面にトナー画像を定着される。そして、トナー画像が定着されたシートＰは、排出ローラ対４０によりシート排出トレイ１３０に排出され、順次、積載されて行く。なお、シートＰの両面に画像を形成する場合には、シートＰの第１面に画像が定着された後、シートＰは反転搬送路１３９を経てレジストレーションローラ対１３６に再搬送される。この後、既述した動作を繰り返すことにより、シートＰの第２面に画像が形成される。
【００２２】
図２に示すようにＡＤＦ１は、シート搬送手段である原稿搬送部２００と、原稿搬送部２００により搬送される原稿Ｄの第２面の画像を読み取る第２画像読取部２０１と、画像が読み取られた原稿を排出するシート排出装置２０３を備えている。また、ＡＤＦ１は、原稿搬送部２００により搬送された原稿が通過するシート搬送路である原稿搬送路Ｒと、原稿搬送路Ｒを通過した原稿を、第１画像読取部１５１の画像読み取り位置に案内する上流側搬送ガイド４００を備えている。また、ＡＤＦ１は、第１画像読取部１５１により画像が読み取られた原稿を第２画像読取部２０１の画像読み取り位置に案内する下流側搬送ガイド５００を備えている。
【００２３】
原稿搬送部２００は、原稿積載トレイ２に積載された原稿Ｄを第１画像読取部１５１及び第２画像読取部２０１の画像読み取り位置にシートを搬送するものである。この原稿搬送部２００は、原稿積載トレイ２に積載された原稿Ｄを給送する原稿給送ローラ４、原稿給送ローラ４により給送された原稿Ｄを１枚ずつに分離する分離ローラ対５，６を備えている。また、原稿搬送部２００は、分離ローラ対５，６により分離された原稿Ｄの斜行を補正するレジストレーションローラ対７、斜行が補正された原稿Ｄを搬送する第１搬送ローラ対８、第２搬送ローラ対９を有している。
【００２４】
なお、スキャナ部３０の上面には第１流し読みガラス１５２と、第１流し読みガラス１５２と副走査方向に並んで配置された原稿台ガラス１６０が設けられ、第２画像読取部２０１の下方には第２流し読みガラス２０２が設けられている。
【００２５】
ここで、第１画像読取部１５１及び第２画像読取部２０１には、等倍光学系の密着型イメージセンサであるＣＩＳ（Ｃｏｎｔａｃｔ  Ｉｍａｇｅ  Ｓｅｎｓｏｒ）が用いられている。このＣＩＳは、光源としてＬＥＤアレイから原稿の画像情報面に光を照射し、画像情報面で反射した反射光をセンサ素子に結像して画像情報を読み取るものである。そして、本実施の形態における第１画像読取部１５１及び第２画像読取部２０１は夫々、第１流し読みガラス１５２及び第２流し読みガラス２０２を介して、搬送されてくる原稿Ｄの読取画像面に読取光学系の焦点を合わせるように構成されている。また、第２画像読取部２０１は、第１画像読取部１５１の原稿搬送方向の下流にて、原稿搬送路Ｒを挟んで第１画像読取部１５１と反対側に配置されている。
【００２６】
シート排出装置２０３は、画像が読み取られた原稿を排出するシート排出手段である排出ローラ対１０と、排出ローラ対１０により排出口１１から排出される原稿を積載する排出シート積載手段である原稿排出部３と、後述する原稿押さえ部材２０を備えている。
【００２７】
本実施の形態において、画像読取装置１０３は、ユーザによって選択された、流し読みモード（ＡＤＦ原稿読取モード）と、固定読みモード（原稿台ガラス原稿読取モード）とのいずれかのモードによって原稿を読み取るようになっている。流し読みモードは、ＡＤＦ１により原稿を、第１画像読取部１５１の上方及び第２画像読取部２０１の下方を通過させることにより、原稿の片面又は両面画像を読み取るモードである。また、固定読みモードは、ユーザにより、原稿台ガラス１６０に載置された原稿の画像を、第１画像読取部１５１を副走査方向に移動させながら読み取るモードである。
【００２８】
なお、ＡＤＦ１は、原稿台ガラス１６０が手前側から開閉可能となるように、奥側に配設された不図示のヒンジ部によりスキャナ部３０に対して上下方向に開閉（回動）可能に支持されている。そして、固定読みモードの場合は、ＡＤＦ１を上方回動することにより、原稿台ガラス１６０の上方を開放して原稿台ガラス上に原稿を載置する。
【００２９】
次に、このような構成の画像読取装置１０３による流し読みモードにおける画像読取動作について説明する。まず、原稿Ｄの第１面にのみ画像が形成されている場合の流し読みモードによる画像読取動作について説明する。この場合は、まず原稿給送ローラ４を点線位置から実線位置に下降させて原稿積載トレイ２上に載置された原稿Ｄを給送する。そして、原稿給送ローラ４の回転駆動力で搬送された原稿Ｄは、分離ローラ５と、分離ローラ５に下方から不図示のバネにより付勢されて圧接するリタードローラ６との間の摩擦力によって１枚ずつに分離される。
【００３０】
分離ローラ対５，６により１枚ずつ分離された原稿は、静止状態のレジストレーションローラ対７のニップ部まで搬送され、先端をレジストレーションローラ対７のニップ部に突き当てられた状態で停止する。ここで、原稿Ｄは、レジストレーションローラ対７が停止している間にも分離ローラ５により搬送され続けるため、この後、原稿Ｄは、ループを形成して先端がレジストレーションローラ対７のニップに倣うことにより斜行が取り除かれる。
【００３１】
斜行補正後、レジストレーションローラ対７を回転させて原稿Ｄを第１搬送ローラ対８に搬送し、第１搬送ローラ対８により第１流し読みガラス１５２上を通過させる。これにより、第１画像読取部１５１による原稿Ｄの第１面の画像読取が行われ、画像が読み取られた後、原稿Ｄは、第２搬送ローラ対９と排出ローラ対１０とにより排出口１１から原稿排出部３に排出される。
【００３２】
次に、原稿Ｄの第１面及び第２面に画像が形成されている場合の流し読みモードによる画像読取動作について図３を用いて説明する。なお、この際、制御部１３２は、原稿が第１面読み取りの後、第２流し読みガラス２０２の下面を通過する際、原稿の第２面の画像読取を行うよう第２画像読取部２０１を制御する。
【００３３】
この場合は、既述した原稿の第１面にのみ画像が形成されている場合と同様にレジストレーションローラ対７により斜行を補正した後、原稿を第１搬送ローラ対８により搬送する。そして、第１搬送ローラ対８により搬送されてくる原稿は、その先端が上流側搬送ガイド４００の上流側傾斜案内面４００ａにより案内され、第１画像読取部１５１の第１画像読取位置Ｒ１より原稿搬送方向上流側で第１流し読みガラス１５２に当接する。この後、原稿が第１流し読みガラス１５２上を通過する際、原稿の第１面の画像を第１画像読取部１５１により第１流し読みガラス１５２を介して読み取る。
【００３４】
第１面の画像が読み取られた後、原稿は第１流し読みガラス１５２に隣接する下流側搬送ガイド５００の上流側傾斜案内面５０１に案内され、第２画像読取部２０１の第２画像読取位置Ｒ２よりシート搬送方向上流側で第２流し読みガラス２０２に当接する。なお、第２流し読みガラス２０２と下流側搬送ガイド５００との間には、第２流し読みガラス２０２と下流側搬送ガイド５００との間隔を一定に保つスペーサ１５４が設けられている。このスペーサ１５４により、第２流し読みガラス２０２と下流側搬送ガイド５００との間隔を、上流側搬送ガイド４００と第１流し読みガラス１５２の間を通過した原稿が第２流し読みガラス２０２に引っかかることなく通過できる間隔に保つことができる。
【００３５】
第２流し読みガラス２０２に当接した後、原稿が第２流し読みガラス２０２の下方を通過する際、原稿の第２面の画像が第２画像読取部２０１により第２流し読みガラス２０２を介して読み取られる。第２面の画像が読み取られた原稿は、下流側搬送ガイド５００の下流側傾斜案内面５０３に案内された後、既述したように第２搬送ローラ対９と排出ローラ対１０とにより原稿排出部３に排出される。
【００３６】
ところで、図２に示すように、原稿積載トレイ２は排出ローラ対１０よりも上方に位置している。そして、この支持手段である原稿積載トレイ２には、言い換えれば排出ローラ対１０よりも上方には、原稿押さえ部材２０が上下方向に回動自在に取り付けられている。この原稿押さえ部材２０は、第１画像読取部１５１及び第２画像読取部２０１により画像が読み取られた後、排出ローラ対１０により原稿排出部３の積載面上に順次排出されて積層される原稿Ｄを、上方から押えるためのものである。この押さえ手段である原稿押さえ部材２０によって原稿Ｄを上方から押えることにより、排出された原稿が排出方向下流側にズレたり、排出原稿によりシート排出部上の既積載原稿が排出方向下流側に押されてズレるのを防ぐことができ、積載性が向上する。
【００３７】
この原稿押さえ部材２０は、板状の形状を有すると共に、図４の（ａ）に示すように、原稿積載トレイ２に取り付けられる取付側の端部のシート排出方向と直交する幅方向の両端には軸２１が設けられている。また、原稿積載トレイ２には、原稿押さえ部材２０の軸２１が取り付けられる軸穴２２が設けられている。ここで、この軸穴２２は、上下方向に長い長穴形状、例えばＵ字型の形状を有している。そして、この長穴形状の軸穴（長穴）２２に軸２１を挿入することにより、原稿押さえ部材２０は、軸２１を支点として原稿積載トレイ２に回動可能に、且つ上下動可能に支持（保持）される。
【００３８】
また、原稿押さえ部材２０は、図４の（ｂ）に示すように原稿排出部３と平行な平面状の底面を形成する基部２０ａと、基部２０ａの幅方向の両端に上方に折曲して形成された傾斜部２０ｂを備えている。ここで、この傾斜部２０ｂは基部２０ａに対して鈍角（θ）に傾斜した形状、言い換えれば幅方向の中央側から幅方向の端部に向かって上方に傾斜した形状になっている。
【００３９】
図５の（ａ）は、原稿排出部３に原稿Ｄが排出される際の原稿押さえ部材２０の動作を示した図である。なお、点線は原稿排出部３上にシートがない場合の原稿押さえ部材２０の状態を示している。原稿押さえ部材２０は、軸２１よりも原稿Ｄと当接する回動端である先端部がシート排出方向下流に位置するような姿勢となるように原稿積載トレイ２に取り付けられている。
【００４０】
これにより、原稿排出部３に原稿Ｄが排出されると、原稿押さえ部材２０は、排出される原稿Ｄにより押圧されて矢印に示すように上方回動する。この後、原稿Ｄの後端が排出口１１を通過すると、原稿Ｄによる押圧が解除され、原稿押さえ部材２０は下方回動し、実線で示す積載された原稿Ｄを上方から押さえる位置に移動する。
【００４１】
この後、原稿排出部３に排出された原稿Ｄを取り除くが、この際、ユーザの手や指が原稿押さえ部材２０の傾斜部２０ｂに触れ、傾斜部２０ｂを幅方向から押圧する場合がある。この場合、傾斜部２０ｂは、既述した図３の（ｂ）に示すように基部２０ａに対して鈍角に傾いた形状を有しているので、傾斜部２０ｂが押圧されると、原稿押さえ部材２０には上方に回動する方向の力が加わる。また、既述したように軸穴２２が長穴形状を有しているので、原稿押さえ部材２０は上方への移動が可能なっている。
【００４２】
このため、傾斜部２０ｂを幅方向から押圧すると、原稿押さえ部材２０は、上方に逃げながら上方回動して図５の（ｂ）に示すように破線で示す位置から、実線で示す位置に移動する。このように、原稿を取り出す際、原稿押さえ部材２０に触れると、原稿押さえ部材２０が上方に逃げながら上方回動することにより、原稿押さえ部材２０に邪魔されることなく原稿を取り出すことができる。
【００４３】
以上説明したように、本実施の形態では、原稿押さえ部材２０の幅方向の端部に上方に傾斜した傾斜部２０ｂを設け、傾斜部２０ｂが幅方向から押圧されると、原稿押さえ部材２０が上方回動しながら上昇するようにしている。これにより、コスト高や積載性の低下を生じさせることなく、簡単に原稿を取り出すことができる。
【００４４】
なお、これまでは原稿押さえ部材２０に軸２１を設け、原稿積載トレイ２に軸穴２２を設ける場合について説明したが本発明は、これに限らず、原稿押さえ部材２０に軸穴２２を設け、原稿積載トレイ２に軸２１を設けるようにしても良い。つまり、原稿押さえ部材及び原稿積載トレイ２の一方に軸２１を設け、原稿押さえ部材及び原稿積載トレイ２の他方に軸穴２２を設けるようにすれば良い。
【００４５】
また、これまでは原稿押さえ部材２０の両側側端部に傾斜部を形成する場合について説明したが、原稿を取り出す方向が一定の場合には、傾斜部を原稿押さえ部材２０の一端部に形成すれば良い。さらに、これまでは本発明に係るシート排出装置を画像読取装置１０３に設けた場合について説明したが、本発明は、これに限らず、本発明に係るシート排出装置を画像形成装置に設けても良い。そして、画像形成部により画像が形成された後、排出されたシートを押さえ部材により押えるようにしても良い。
【符号の説明】
【００４６】
１…ＡＤＦ、２…原稿積載トレイ（支持手段、シート積載手段）、３…原稿排出部（排出シート積載手段）、１０…排出ローラ対（シート排出手段）、２０…原稿押さえ部材（押さえ部材）、２１…軸、２２…軸穴（長穴）、１０１…画像形成装置、１０３…画像読取装置、１３３…画像形成部、１５１…第１画像読取部（画像読み取り手段）、２００…原稿搬送部（シート搬送手段）、２０１…第２画像読取部（画像読み取り手段）、２０３…シート排出装置、Ｄ…原稿
【図１】
2017193392.tif 000003
【図２】
2017193392.tif 000004
【図３】
2017193392.tif 000005
【図４】
2017193392.tif 000006
【図５】
2017193392.tif 000007